(57)【特許請求の範囲】
【請求項１】
冷却器で生じたドレン水を凝縮器に滴下して蒸発させるように構成したスポットエアコンにおいて、個別に製作した冷却器と凝縮器を、冷却器のフィンの下端と凝縮器のフィンの上端との間に隙間を生じないように密着させて、凝縮器の上部に冷却器を取り付けるように組み立てて構成したスポットエアコンにおいて、冷却器又は凝縮器の側板に突起部を形成し、他方の側板に前記突起部を係止するための係止溝を形成したことを特徴とするスポットエアコン。
【発明の詳細な説明】
【０００１】
【発明の属する技術分野】
本発明は、スポットエアコンに関し、特に、冷却器で生じたドレン水を凝縮器に滴下して蒸発させるようにしたスポットエアコンに関するものである。
【０００２】
【従来の技術】
従来、スポットエアコンは、冷却器と凝縮器をスポットエアコン本体内に、それぞれ分離して配置し、冷却器で生じたドレン水をドレンタンクに溜め、ドレンタンクが満水になったとき、ドレンタンクをスポットエアコン本体内より取り出し、ドレン水を排水した後、再びスポットエアコン本体内に設置するようにしていた。
【０００３】
この方式のスポットエアコンの場合、ドレンタンクが満水になるたびに、ドレンタンクをスポットエアコン本体内より取り出し、ドレン水を排水する必要があり、ドレン水の排水に手数を要するという問題があった。
【０００４】
上記方式のスポットエアコンの有する問題点に鑑み、ドレン水の排水の手間を省くため、冷却器で生じたドレン水をドレンタンクに一時的に溜め、貯留されたドレン水の水量をセンサー等にて検知し、適宜ドレン水をポンプで汲み上げて、凝縮器に滴下して蒸発させるようにしたスポットエアコンが実用化されている。
【０００５】
【発明が解決しようとする課題】
しかしながら、この方式のスポットエアコンの場合、ドレン水を汲み上げるポンプを必要とし、構造が複雑になるとともに、部品点数が増加するため、価格の上昇につながるという問題があった。
【０００６】
なお、冷却器と凝縮器を一体に製作することも提案されているが、この方式のスポットエアコンの場合、ドレン水を汲み上げるポンプを必要としない利点があるが、冷媒管路の列数、列ピッチ、段数、段ピッチ、フィンピッチ、フィンの種類、形状等の設計の自由度が損なわれるという問題があった。
【０００７】
本発明は、上記従来のスポットエアコンの有する問題点に鑑み、冷却器及び凝縮器の設計の自由度が大きく、構造が簡単で、部品点数が少ない、製造コストの低廉な、冷却器で生じたドレン水を凝縮器に滴下して蒸発させるようにしたスポットエアコンを提供することを目的とする。
【０００８】
【課題を解決するための手段】
上記目的を達成するため、本発明のスポットエアコンは、冷却器で生じたドレン水を凝縮器に滴下して蒸発させるように構成したスポットエアコンにおいて、個別に製作した冷却器と凝縮器を、冷却器のフィンの下端と凝縮器のフィンの上端との間に隙間を生じないように密着させて、凝縮器の上部に冷却器を取り付けるように組み立てて構成したスポットエアコンにおいて、冷却器又は凝縮器の側板に突起部を形成し、他方の側板に前記突起部を係止するための係止溝を形成したことを特徴とする。
【０００９】
このスポットエアコンは、個別に製作した冷却器と凝縮器を、冷却器のフィンの下端と凝縮器のフィンの上端との間に隙間を生じないように密着させて、凝縮器の上部に冷却器を取り付けるように組み立てて構成するようにしているので、冷却器で生じたドレン水を凝縮器に均等に滴下して確実に蒸発させることができるとともに、冷却器及び凝縮器の設計の自由度が大きく、また、構造が簡単で、部品点数を少なくすることができる。
【００１０】
そして、冷却器又は凝縮器の側板に突起部を形成し、他方の側板に前記突起部を係止するための係止溝を形成することにより、一方の側板に形成した突起部を、他方の側板に形成した係止溝に係止することにより、冷却器と凝縮器を正確に位置決めしながら、同時に固定することができ、冷却器と凝縮器の組み立てを迅速に行えるとともに、長期間に亘って振動などによって冷却器と凝縮器の間に位置ずれや隙間が生じることを防止し、冷却器のフィンの下端と凝縮器のフィンの上端との間に隙間を生じないようにして両者の密着状態を維持することができる。
【００１１】
【発明の実施の形態】
以下、本発明のスポットエアコンの実施の形態を図面に基づいて説明する。
【００１２】
図１〜図３は、本発明のスポットエアコンの一実施例を示し、図において、１はスポットエアコン本体に配置する冷却器、２はこの冷却器１の下方位置にて互いにフィンが密着して配置できるようにした凝縮器で、それぞれ個別に製作される。
【００１３】
そして、この冷却器１と凝縮器２は、冷却器１を上方に、凝縮器２を下方に配置して、はめ込み式にて互いに係合して一体とするように構成されている。
【００１４】
冷却器１は、図１及び図２に示すように、両側端に対向して配設した冷却器フレームとなる側板１１，１１間に、冷媒管路１２を蛇行するようにして配設し、この冷媒管路１２内に冷媒を循環するようにして流通させるとともに、側板１１，１１間に、側板１１と平行に、かつ冷媒管路１２を貫通させた多数のフィン１３を並列に配設して構成する。
そして、冷却器フレームとなる側板１１の凝縮器２と接続する側の端部を、鏃状の突起部１４に形成し、後述の凝縮器２にはめ込み式にて係止できるようにする。
なお、本実施例では、冷却器１の蛇行する冷媒管路１２は、１列としたが、その列数、列ピッチ、段数、段ピッチ、フィンピッチ、フィン種類及び形状等は、冷却器１に要求される能力等に応じて自由に設計することができる。
【００１５】
凝縮器２は、図１及び図３に示すように、冷却器１と同様に、両側端に対向して配設した凝縮器フレームとなる側板２１，２１間に、冷媒管路２２を蛇行するようにして配設し、この冷媒管路２２内に冷媒を循環するようにして流通させるとともに、側板２１，２１間に、側板２１と平行に、かつ冷媒管路２２を貫通させた多数のフィン２３を並列に配設して構成する。
そして、凝縮器フレームとなる側板２１の冷却器１と接続する側の端部に、冷却器フレームとなる側板１１の端部に形成した鏃状の突起部１４を係止するためのスリット状の係止溝２４を形成し、冷却器１をはめ込み式にて係止できるようにする。
これにより、冷却器１の側板１１に形成した突起部１４を、凝縮器２の側板２１に形成した係止溝２４に係止することにより、冷却器１と凝縮器２を正確に位置決めしながら、同時に固定することができ、冷却器１と凝縮器２の組み立てを迅速に行えるとともに、長期間に亘って振動などによって冷却器１と凝縮器２の間に位置ずれや隙間が生じることを防止し、冷却器１のフィン１３の下端と凝縮器２のフィン２３の上端との間に隙間を生じないようにして両者の密着状態を維持することができるものとなる。
なお、本実施例では、凝縮器２の蛇行する冷媒管路２２は、４列としたが、冷却器１と同様に、その列数、列ピッチ、段数、段ピッチ、フィンピッチ、フィン種類及び形状等は、凝縮器２に要求される能力等に応じて自由に設計することができる。
【００１６】
この場合、冷却器１と凝縮器２は、上述のように個別に製作するが、冷却器１の冷却器フレームとなる側板１１，１１間の寸法と、凝縮器２の凝縮器フレームとなる側板２１，２１間の寸法は、突起部１４が係止溝２４に係止されるようにして一致させるようにする。
【００１７】
また、冷却器１の冷却器フレームとなる側板１１，１１の端部にそれぞれ形成した鏃状の突起部１４，１４は、各突起部１４，１４がそれぞれ外側を向くように形成し、これにより、凝縮器２の上に冷却器１を載置することにより、突起部１４，１４が、凝縮器２の凝縮器フレームとなる側板２１，２１に形成した係止溝２４，２４にそれぞれ強制的に嵌入、係止される構造とする。
そして、一旦係止された突起部１４と係止溝２４は、その構造上、故意に外す場合を除いて、長期間に亘って振動などによって緩むことがなく、これにより、冷却器１と凝縮器２の間に位置ずれや隙間が生じることを防止し、冷却器１のフィン１３の下端と凝縮器２のフィン２３の上端との間に隙間を生じないようにして両者の密着状態を維持することができるものとなる。
なお、この作業時、突起部１４等で凝縮器２の冷媒管路２２のパイプ等に傷が付くことを防止するため、例えば、凝縮器２の冷媒管路２２のパイプは、係止溝２４より下方位置に配設する等の構造を採用することが望ましい。
【００１８】
このように、本発明のスポットエアコンによれば、冷却器と凝縮器を個別に製作するようにしているため、冷媒管路の列数、列ピッチ、段数、段ピッチ、フィンピッチ、フィンの種類、形状等の設計の自由度がない冷却器と凝縮器を一体に製作する方式と比較して、例えば、冷却器の列数を１列又は２列にしたり、凝縮器２の列数を２列又は３列にする等、冷媒管路の列数、列ピッチ、段数、段ピッチ、フィンピッチ、フィンの種類、形状等の冷却器及び凝縮器の設計の自由度が大きく、また、構造が簡単で、部品点数を少なくすることができるため、熱交換器製作用金型を共用できることと相俟って、製造コストを低廉にすることができ、さらに、冷却器や凝縮器の輸送、保管や修理のための客先での交換の利便性を向上することができる。
【００１９】
また、冷却器１で生じたドレン水は、重力により自然に降下しながら、隙間を生じないようにして密着状態が維持された冷却器１のフィン１３の表面から凝縮器２のフィン２３の表面に円滑に移行して、凝縮器２において蒸発させることができ、ドレン水を汲み上げるポンプを必要としない利点に加え、冷却器１で生じたドレン水を凝縮器２に均等に滴下して確実に蒸発させることができるものとなる。
【００２０】
なお、凝縮器２において蒸発させることができなかった余剰のドレン水は、凝縮器２の下方に配設したドレンパン（図示省略）に受けて、ドレンタンクに溜めるようにする。
この場合、ドレンタンクは、ドレンタンクの水を捨てる作業の労力を低減するため、ドレンタンクの容量を従来の１／２以下の容量に小形化しても、ドレンタンクが満水になるまでの運転時間を従来と同程度にすることができ、一方、ドレンタンクの容量が従来と同じときには、ドレンタンクの水を捨てる作業の頻度を１／２以下にすることができる。
【００２１】
以上、本発明のスポットエアコンの一実施例について説明したが、本発明のスポットエアコンは、例えば、凝縮器２の凝縮器フレームとなる側板２１の冷却器１と接続する側の端部を鏃状の突起部に形成し、冷却器１の冷却器フレームとなる側板１１の凝縮器２と接続する側の端部に、凝縮器フレームとなる側板２１の端部に形成した鏃状の突起部を係止するためのスリット状の係止溝を形成する等、その趣旨を逸脱しない範囲でその構造を変更することができる。
【００２２】
【発明の効果】
本発明のスポットエアコンによれば、個別に製作した冷却器と凝縮器を、冷却器のフィンの下端と凝縮器のフィンの上端との間に隙間を生じないように密着させて、凝縮器の上部に冷却器を取り付けるように組み立てて構成するようにしているので、冷却器で生じたドレン水を凝縮器に均等に滴下して確実に蒸発させることができるとともに、冷却器及び凝縮器の設計の自由度が大きく、また、構造が簡単で、部品点数を少なくすることができるため、製造コストを低廉にすることができる。
【００２３】
そして、冷却器又は凝縮器の側板に突起部を形成し、他方の側板に前記突起部を係止するための係止溝を形成することにより、一方の側板に形成した突起部を、他方の側板に形成した係止溝に係止することにより、冷却器と凝縮器を正確に位置決めしながら、同時に固定することができ、冷却器と凝縮器の組み立てを迅速に行えるとともに、長期間に亘って振動などによって冷却器と凝縮器の間に位置ずれや隙間が生じることを防止し、冷却器のフィンの下端と凝縮器のフィンの上端との間に隙間を生じないようにして両者の密着状態を維持することができる。
【図面の簡単な説明】
【図１】本発明のスポットエアコンの一実施例を示す説明図で、（Ａ）は組み立てる前の状態を、（Ｂ）は組み立てた後の状態を示す。
【図２】冷却器を示し、（Ａ）は正面図、（Ｂ）は左側面図、（Ｃ）は右側面図、（Ｄ）は平面図である。
【図３】凝縮器を示し、（Ａ）は正面図、（Ｂ）は左側面図、（Ｃ）は右側面図、（Ｄ）は平面図である。
【符号の説明】
１    冷却器
１１  側板
１２  冷媒管路
１３  フィン
１４  突起部
２    凝縮器
２１  側板
２２  冷媒管路
２３  フィン
２４  係止溝
【図１】
0003569471.tif 000002
【図２】
0003569471.tif 000003
【図３】
0003569471.tif 000004